(57)【特許請求の範囲】
【請求項１】
３列に並んで配置された収納空間を有し、
前記３列の収納空間のうち、中央列に位置する収納空間の深さが最も深く、
前記３列の収納空間を囲う外枠の幅は、前列の収容空間が最も小さく、後列の収容空間の幅が最も大きくなっている、収納容器であって、
前記収納容器を載置したときに、前記収納空間の収納方向が、載置面に対して傾斜しており、
前記後列に位置する収納空間を下側にして前記収納容器を水平面上に載置したときに、前記収納容器が前記水平面と接する第１の載置面内の鉛直上方に、前記収納容器の重心が位置し、
前記前列に位置する収納空間を下側にして前記収納容器を水平面上に載置したときに、前記収納容器が前記水平面と接する第２の載置面内の鉛直上方に、前記収納容器の重心が位置する、収納容器。
【請求項２】
前記第１の載置面を載置面としたときの前記収納空間の収納方向の傾斜角度は、前記第２の載置面を載置面としたときの前記収納空間の収納方向の傾斜角度よりも大きい、請求項１に記載の収納容器。
【請求項３】
前記収納容器の両側面に上下方向に延在する突起面を有する補強リブが設けられている、請求項１または２に記載の収納容器。
【請求項４】
各収納空間の間には、仕切り壁が備えられており、
前記仕切り壁の少なくとも一つには、段差が設けられている、請求項１から３の何れか１項に記載の収納容器。
【請求項５】
前記収納容器は、貯蔵庫の扉の内側壁面に取り付け可能となっている、請求項１から４の何れか１項に記載の収納容器。
【請求項６】
前記後列に位置する収納空間は、前記扉の軸支されていない側の端部が前記外枠とは離間している、請求項５に記載の収納容器。
【発明の詳細な説明】
【技術分野】
【０００１】
本発明は、物品を収納する収納容器に関する。
【背景技術】
【０００２】
従来から、冷蔵庫の扉の内側には、調味料などのチューブや瓶などを収納するための収納容器が取り付けられている。
【０００３】
例えば、特許文献１には、冷蔵庫の内室で並設設置が可能な大きさを有する冷蔵庫用食品収納容器が開示されている。この冷蔵庫用食品収納容器は、平面形状をほぼ矩形状とし、容器の高さが前記矩形状を構成する横幅より大きく、冷蔵庫の内室で並設設置が可能な大きさを有する縦長の形態で、上部に食品を出し入れする投入口、容器下部に少なくとも冷気通風口を備えている。
【０００４】
また、特許文献２には、チューブ収納手段を備えている冷蔵庫が開示されている。この冷蔵庫は、冷蔵庫本体の前面開口を開閉する扉と、該扉の内側の上下に設けた第一の扉収納容器及び第二の扉収納容器と、該第一の扉収納容器又は該第二の扉収納容器に設置するチューブ収納手段と、を備えている。そして、前記チューブ収納手段は長辺及び短辺に第一の係止部及び第二の係止部をそれぞれ備え、前記第一の扉収納容器の高さは前記第二の扉収納容器の高さよりも高く、前記第一の係止部は前記第一の扉収納容器の前壁に係合する高さに設けられ、前記第二の係止部は前記第二の扉収納容器の前壁に係合する高さに設けられている。
【先行技術文献】
【特許文献】
【０００５】
【特許文献１】特開平８−１７０８７３号公報
【特許文献２】特開２０１２−２６６３９号公報
【発明の概要】
【発明が解決しようとする課題】
【０００６】
ところで、昨今、冷蔵庫内の収納空間をより効率的に利用するために、チューブや瓶などの調味料を主として収納するための収納容器を冷蔵庫の扉から取り外し可能とし、他の場所に載置することが検討されている。このような収納容器は、例えば、冷蔵室内の棚の上、冷蔵庫外の食卓の上、調理用のキッチンカウンターの上などのような様々な場所に載置される可能性がある。そのため、収納容器には、様々な載置場所に適応できる汎用性が求められる。
【０００７】
そこで、本発明では、複数列並んだ収納空間を有する収納容器において、使用時の利便性をより高めることのできる収納容器を提供することを目的とする。
【課題を解決するための手段】
【０００８】
本発明の一局面にかかる収納容器は、３列に並んで配置された収納空間を有し、前記３列の収納空間のうち、中央列に位置する収納空間の深さが最も深く、前記３列の収納空間を囲う外枠の幅は、前列の収容空間が最も小さく、後列の収容空間の幅が最も大きくなっている。
【０００９】
上記の本発明にかかる収納容器は、載置したときに、前記収納空間の収納方向が、載置面に対して傾斜しており、前記後列に位置する収納空間を下側にして前記収納容器を水平面上に載置したときに、前記収納容器が前記水平面と接する第１の載置面内の鉛直上方に、前記収納容器の重心が位置し、前記前列に位置する収納空間を下側にして前記収納容器を水平面上に載置したときに、前記収納容器が前記水平面と接する第２の載置面内の鉛直上方に、前記収納容器の重心が位置してもよい。
【００１０】
上記の本発明にかかる収納容器において、前記第１の載置面を載置面としたときの前記収納空間の収納方向の傾斜角度は、前記第２の載置面を載置面としたときの前記収納空間の収納方向の傾斜角度よりも大きくてもよい。
【００１１】
上記の本発明にかかる収納容器には、前記収納容器の両側面に上下方向に延在する突起面を有する補強リブが設けられていてもよい。
【００１２】
上記の本発明にかかる収納容器において、各収納空間の間には、仕切り壁が備えられており、前記仕切り壁の少なくとも一つには、段差が設けられていてもよい。
【００１３】
上記の本発明にかかる収納容器は、貯蔵庫の扉の内側壁面に取り付け可能となっていてもよい。
【００１４】
上記の本発明にかかる収納容器において、前記後列に位置する収納空間は、前記扉の軸支されていない側の端部が前記外枠とは離間していてもよい。
【発明の効果】
【００１５】
本発明にかかる収納容器によれば、３列のうちの中央列の深さが深いので、載置面に対して収納空間を傾斜した状態で使用することができる。また、列状に並んだ複数の収納空間のうちの何れの側の収納空間を下側にしても、安定した状態で載置することができる。したがって、様々な載置場所に置くことができ、利便性の向上した収納容器が得られる。
【００１６】
そして、前列から後列に向けて段々と外枠の幅が大きくなっているので、使用者の使い勝手に合わせて、前列及び後列の何れの側を下側にするかを決めることができる。
【図面の簡単な説明】
【００１７】
【図１】本発明の第１の実施形態にかかる冷蔵庫の外観を示す正面図である。
【図２】図１に示す冷蔵庫の冷蔵室内の構成を示す断面図である。
【図３】本発明の第１の実施形態にかかる冷蔵庫に取り付けられた収納容器を示す正面斜視図である。
【図４】本発明の第１の実施形態にかかる冷蔵庫に取り付けられた収納容器を示す上方斜視図である。
【図５】本発明の第１の実施形態にかかる冷蔵庫に取り付けられた収納容器を示す側面図である。
【図６】本発明の第１の実施形態にかかる冷蔵庫に取り付けられた収納容器を示す下方斜視図である。
【図７】図３に示す収納容器の構成を模式的に示す断面図である。
【図８】図１に示す冷蔵庫の冷蔵室扉の内側を示す斜視図である。この図では、冷蔵室扉に取り付けられた収納容器に収容物を収納した状態を示す。
【図９】（ａ）から（ｃ）は、図１に示す冷蔵庫の断面図である。（ａ）は、冷蔵室扉を閉じた状態の冷蔵庫を示す。（ｂ）は、冷蔵室扉を約４５度開けた状態の冷蔵庫を示す。（ｃ）は、冷蔵室扉を約９０度開けた状態の冷蔵庫を示す。
【図１０】（ａ）から（ｃ）は、収納容器に収容物を収納した状態の冷蔵庫の断面図であって、図９（ａ）から図９（ｃ）にそれぞれ対応した図である。
【図１１】図３に示す収納容器の変形例を示す上方斜視図である。
【図１２】図３に示す収納容器の変形例を示す側方断面図である。
【図１３】図３に示す収納容器の変形例を示す側方断面図である。
【図１４】本発明の第２の実施形態にかかる収納容器を模式的に示す側面図である。
【図１５】図１４に示す収納容器を別の方法で平面上に載置した状態を模式的に示す側面図である。
【図１６】第２の実施形態にかかる収納容器を、図１４と同様の方法で平面上に載置し、収容物を入れた状態で示す模式図である。
【図１７】第２の実施形態にかかる収納容器を、図１５と同様の方法で平面上に載置し、収容物を入れた状態で示す模式図である。
【図１８】第２の実施形態にかかる収納容器の変形例を示す模式図である。
【発明を実施するための形態】
【００１８】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１９】
＜第１の実施形態＞
第１の実施形態では、本発明にかかる収納容器を冷蔵庫の扉の内側に取り付けた構成例について説明する。但し、本発明は、この構成に限定はされない。例えば、冷蔵庫以外の収納庫（貯蔵庫）の扉に本発明の収納容器を取り付けてもよい。
【００２０】
＜冷蔵庫の全体構成＞
図１には、本実施形態に係る冷蔵庫１の概略構成を示す。図１に示すように、冷蔵庫１は、最上段に冷蔵室１１が配置され、最下段に第１の冷凍室１２が配置されている。また、冷蔵庫１の中段には、右側に第２の冷蔵室１３が配置され、左側の上段に製氷室１４が配置され、左側の下段に第２の冷凍室１５が配置されている。
【００２１】
本実施形態では、扉が設けられている面を冷蔵庫の前面とする。そして、前面を基準にして、冷蔵庫１を通常の状態で設置した場合に存在する位置に基づいて、冷蔵庫１の各面を、上面、側面、背面、及び底面とする。したがって、本明細書中において、「前面側」または「背面側」と規定するときは、任意の位置を基準として前面又は背面が設けられている側、あるいは、任意の位置から前面又は背面へ向かう方向のことを意味する。また、本明細書では、冷蔵庫の背面側から前面側へ向かう方向、あるいは、前面側から背面側へ向かう方向を、前後方向と呼ぶ。
【００２２】
また、冷蔵庫１の各貯蔵空間の前面には、開閉可能な扉がそれぞれ設けられている。例えば、本実施形態では、第１の冷蔵室（収納室）１１の扉として、観音開き方式の冷蔵室扉（左側の冷蔵室扉１１ａ及び右側の冷蔵室扉１１ｂ）が備えられている。左側の冷蔵室扉１１ａは、右側の冷蔵室扉１１ｂよりもやや小さいサイズとなっている。また、図示はしていないが、第１の冷凍室１２、第２の冷蔵室１３、製氷室１４、および第２の冷凍室１５には、引き出し式の扉などが設けられている。
【００２３】
なお、本発明の冷蔵庫における各扉の構成は、上記のものに限定はされない。各貯蔵室の扉は、各貯蔵室の構造、用途、位置などに応じて、例えば、観音開き方式、左右の何れかの端部から開閉する方式、左右両側から開閉可能な方式、引き出し方式などを適宜採用することができる。
【００２４】
図２には、第１の冷蔵室１１内の断面構成を示す。冷蔵室１１の周囲は、断熱箱体２で形成されている。冷蔵室１１内には、複数の仕切棚３ａ・３ｂ・３ｃ・３ｄ、チルドケース４、製氷用の給水タンク５などが備えられている。また、左側の冷蔵室扉１１ａの内側（冷蔵室１１側）には、上段と中段に、取り外し可能な収納容器１０がそれぞれ取り付けられている。また、左側の冷蔵室扉１１ａの内側の下段には、ペットボトルＤ、大型の紙パックＥなどの大型の飲料容器を主に収納するための収納容器２０が取り付けられている。
【００２５】
冷蔵室扉１１ａの上段と中段に取り付けられている２つの収納容器１０は、同一のものである。説明の便宜上、上段に取り付けられている収納容器を１０ａとし、下段に取り付けられている収納容器を１０ｂとする。図２に示すように、収納容器１０は、前後方向に列状に並んだ３個の収納空間を有している。各収納空間には、ビン、プラスチック容器（ペットボトル）、チューブ状容器などのような大きさ及び高さの異なる収容物Ａ・Ｂ・Ｃが収容されている。
【００２６】
＜収納容器の構成＞
続いて、収納容器１０の詳細な構成について、図３から図７を参照しながら説明する。図３から図６には、冷蔵室扉１１ａから取り外した状態の収納容器１０を、様々な方向から見た場合の図を示す。また、図７は、図３に示す収納容器１０の破線部分の断面図である。
【００２７】
なお、説明の便宜上、図３に示す状態の収納容器１０を、収納容器１０の正面とし、正面側に位置する収納容器１０の外周面を前面とする。そして、前面を基準として、収納容器１０の各面の位置を規定する。例えば、前面の反対側に位置する収納容器１０の外周面を、背面（後面）とする。また、収納容器１０の背面側から前面側へ向かう方向、あるいは、前面側から背面側へ向かう方向を、前後方向と呼ぶ。
【００２８】
各図に示されるように、収納容器１０は、その外形を構成する部材として、主として、前面部３１、背面部３２、左側面部（側面部、外枠）３３、右側面部３４（外枠）、第１の仕切り壁３５、第２の仕切り壁３６、及び各底面部３７・３８・３９を有している。また、収納容器１０は、前後方向に列状に並んだ３個の収納空間２１・２２・２３を有している。なお、本実施形態では、収納空間の数は３個であるが、本発明の収納容器においては、収納空間の数は、３個に限定はされない。本発明にかかる収納容器においては、前後方向に複数列の収納空間を有していることが好ましい。これにより、比較的小さなサイズの収容物を、横に整列させた状態で複数列配置することができる。
【００２９】
最前列（冷蔵室扉１１ａの裏面から最も離れた列）の収納空間２１（前列に位置する収納空間）は、主として、前面部３１と、第１の仕切り壁３５と、底面部３７とで形成されている。収納空間２１は、深さＬ１を有している（図７参照）。本実施形態では、収納空間２１の右側の端部の底面部３７には、凸部４２が形成されている。凸部４２が形成されている部分は、収納空間２１の他の部分の深さＬ１と比較して、深さが大きくなっている。
【００３０】
中央列の収納空間２２は、主として、第１の仕切り壁３５と、第２の仕切り壁３６と、底面部３８とで形成されている。収納空間２２は、深さＬ２を有している（図７参照）。また、図４に示すように、収納空間２２は、第３の仕切り壁４３によって、さらに２つの部分に区分けされている。第３の仕切り壁４３は、第２の仕切り壁３６の表面から略垂直に立設するように設けられている。
【００３１】
最後列の収納空間２３（後列に位置する収納空間）は、主として、第２の仕切り壁３６と、背面部３２と、底面部３９とで形成されている。収納空間２３は、深さＬ３を有している（図７参照）。
【００３２】
図５に示すように、各収納空間２１・２２・２３の底面部３７・３８・３９は、異なる高さに位置している。すなわち、収納容器１０の底部には、段差が形成されている。これに伴って、各収納空間２１・２２・２３の深さＬ１・Ｌ２・Ｌ３は、それぞれ異なっている。収納容器１０においては、中央列の収納空間２２の深さＬ２が最も大きくなっている。つまり、収納容器１０では、収納空間２２の底面部３８が、下方に突出した形状となっている。
【００３３】
また、図４に示すように、収納容器１０の各収納空間２１・２２・２３の外枠の幅（すなわち、左側面部３３と右側面部３４との距離）を、それぞれＷａ・Ｗｂ・Ｗｃとすると、各幅の大小関係は以下のようになっている。
Ｗａ＜Ｗｂ＜Ｗｃ
【００３４】
すなわち、３列の収納空間２１・２２・２３を囲う外枠（すなわち、左側面部３３および右側面部３４）は、前列の収納空間２１から後列の収納空間２３へ向けて、徐々に幅が大きくなっている。
【００３５】
この構成によれば、冷蔵室扉１１ａの壁面側に最も幅の広い収納空間２３が当接する。これにより、扉の壁面への圧力が分散し、扉壁面の変形を抑えることができる。また、扉の回動半径が大きくなる外周側に最も幅の狭い収納空間２１が位置するため、扉の回動時に、収納容器１０と他の部材との衝突を起こりにくくすることができる。
【００３６】
また、収納容器１０の各収納空間２１・２２・２３は、冷蔵室扉１１ａに取り付けたときに、上方へ向かうにつれて前方へ傾斜するような構成となっている。このように、前方に傾斜するように収容物を収納することで、収容物を取出し易くすることができる。なお、収容物を傾斜させて収納することで、収容物の上端が上方へ出っ張り、冷蔵室扉１１ａの開閉時に他方の冷蔵室扉に１１ｂとぶつかる可能性が生じる。そこで、収納容器１０では、最前列の収納空間２１の深さＬ１を、そのすぐ後方に位置する中央列の収納空間２２の深さＬ１よりも浅くしている。これにより、背高の収容物を最前列の収納空間２１に入れようとしても安定しないため、使用者は、後列側の収納空間２２または２３を、背高の収容物の収納空間として選択することになる。その結果、最前列の収納空間２１には、比較的背の低い収容物を入れることになるので、収容物の出っ張りを抑えることができる。
【００３７】
このように、各収納空間２１・２２・２３の深さＬ１・Ｌ２・Ｌ３をそれぞれ異ならせることで、高さの異なる種々の収容物を、収容物ごとに適した深さを有する収納空間に配置することができる。なお、最前列の収納空間２１の深さＬ１と、最後列の収納空間２３の深さＬ３との大小関係は特に限定はされない。例えば、本実施の形態の収納容器１０のように、最前列の収納空間２１の深さＬ１を最も小さくしてもよい。これにより、収納空間２１の底面部３７の位置（図２のＰ１及びＰ２）を高くすることができる。そのため、図２に示すように、収納容器１０ａ及び１０ｂを冷蔵室扉１１ａの上段と中段に取り付けた場合に、その下方に収納される収容物の出し入れをより容易に行うことができる。
【００３８】
また、各収納空間２１・２２・２３の前後方向の幅（奥行き）Ｗ１・Ｗ２・Ｗ３（図７参照）も、それぞれ異ならせることが好ましい。これにより、サイズの異なる種々の収容物を、収容物ごとに適した幅を有する収納空間に配置することができる。
【００３９】
例えば、最前列の収納空間２１の幅Ｗ１は、中央列の収納空間２２の幅Ｗ２よりも小さくなっていることが好ましい。これにより、各収納空間２１・２２の深さＬ１・Ｌ２の大小関係と、各収納空間２１・２２の幅Ｗ１・Ｗ２の大小関係とを合わせることができる。そのため、収納空間２１は全体的に小さなサイズの収容物により適した収納空間となり、収納空間２２は全体的に大きなサイズの収容物により適した収納空間となる。これにより、底面が大きな収容物を最前列の収納区間２１に収納しにくくなるため、最前列に配置された収容物による出っ張りをより確実に抑えることができる。なお、最前列の収納空間２１の幅Ｗ１と、最後列の収納空間２３の幅Ｗ３との大小関係は特に限定はされない。例えば、本実施の形態の収納容器１０のように、最前列の収納空間２１の幅Ｗ１を最も小さくしてもよい。
【００４０】
なお、第２の仕切り壁３６において、第３の仕切り壁４３の取り付け位置の近傍には、段差部３６ａが形成されている。このような段差部３６ａを設けることで、第２の仕切り壁３６によって区分けされる２つの収納空間２２及び２３内の大きさを、段差部３６ａを境界として変更することができる。これにより、各収納空間の大きさを、サイズの異なる種々の収容物により適した大きさに区分けすることができる。
【００４１】
また、図４に示すように、第１の仕切り壁３５の右側の端部は、右側面部３４と接続されている一方、第１の仕切り壁３５の左側の端部は、左側面部３３と接続されていない。すなわち、第１の仕切り壁３５の左側の端部と、左側面部３３との間には、スペースＳ１が設けられている。このようなスペースＳ１が設けられていることによって、後述するように、冷蔵室扉１１ａの開閉動作時に、収納空間２１の左端に配置されている収容物の逃げ場をつくることができる。これにより、冷蔵室扉１１ａの開閉動作時に、収納空間２１の左端に配置されている収容物が、右側の冷蔵室扉１１ｂの開放端部に衝突することを回避したり、万一衝突した場合の衝撃を緩和したりすることができる。
【００４２】
また、図４に示すように、第２の仕切り壁３６の右側の端部４４は、後方（すなわち、収納空間２３側）に折れ曲がっている。そして、第２の仕切り壁３６の右側の端部は、左側面部３３とある程度の距離を保って離間している。このような屈曲した端部４４を有することで、後述するように、冷蔵室扉１１ａの開閉動作時に、収納空間２２の左端に配置されている収容物の逃げ場をつくることができる。これにより、冷蔵室扉１１ａの開閉動作時に、収納空間２２の左端に配置されている収容物が、右側の冷蔵室扉１１ｂの開放端部に衝突することを回避したり、万一衝突した場合の衝撃を緩和したりすることができる。
【００４３】
また、例えば、図８の収容物Ｃのような背高の収容物を、収容空間２３における冷蔵室扉１１ａの開放端部側（図１０では右端）に収容すると、所定半径Ｒからはみ出すおそれがある。しかし、屈曲した端部４４が形成されていることで、収納空間２３に収容される収容物が右側の冷蔵室扉１１ｂの開放端部に衝突することを回避することができる。
【００４４】
以上のように、第１の仕切り壁３５の左側端部及び第２の仕切り壁３６の左側端部は、何れも左側面部３３と離間していることが好ましい。このように、左側面部３３に対して、各仕切り壁が接続されていないことで、収納容器１０の樹脂成形加工時に発生し得る成形表面のヒケ及びムラの発生を抑えることができる。そのため、左側面部３３の外側表面を滑らかな状態に仕上げることができる。さらに、収納容器１０を透明の素材で形成した場合に、各仕切り壁の左側端部が左側面部３３と離間している構成とすることで、収納容器１０の意匠性を向上させることができる。
【００４５】
収納容器１０の背面には、小さな溝状の小物収納スペース４５が形成されている。この小物収納スペース４５には、例えば、わさび、ショウガなどのような薬味パック、ソース、しょうゆなどの調味料パックなどを収容することができる。
【００４６】
また、小物収納スペース４５の左右両側の端部には、冷蔵室扉１１ａに取り付けるためのフック（係合部）４６が形成されている。フック４６は、冷蔵室扉１１ａに形成された溝（係止部）に嵌め込まれる。これにより、収納容器１０は、冷蔵室扉１１ａに固定される。フック４６および溝（係止部）の形成位置は、冷蔵室扉１１ａに対して収納容器１０を安定した状態で固定できる位置であればよい。例えば、フック４６は、左右両側の側面部３３・３４の後方側に形成することができる（図４、図５など参照）。また、溝（係止部）は、フック４６が嵌合できるように、冷蔵室扉１１ａの側壁７１に形成することができる。
【００４７】
さらに、収納容器１０の左側面部３３および右側面部３４には、補強リブ（補強部材）４１ａ及び４１ｂがそれぞれ形成されている。補強リブ４１ａ及び４１ｂは、収納容器１０を冷蔵室扉１１ａに取り付けた際に、冷蔵室扉１１ａの側壁７１に当接するような形状となっている（図８参照）。補強リブ４１ａ及び４１ｂが設けられていることで、収納容器１０を冷蔵室扉１１ａにより安定した状態で固定させることができる。また、補強リブ４１ａ及び４１ｂの端部を折り曲げた形状とすることで、強度を向上させることができる。
【００４８】
収納容器１０を、フック４６と補強リブ４１ａ、４１ｂとで冷蔵室扉１１ａに固定することで、収納容器１０へかかる収納物の重量を分散させることができる。特に各収納空間が前傾していると、収容物の重心が収納容器１０の前方に偏りがちとなる。これにより、フック４６を軸とした下方への回転モーメントが起こる。このような場合に、補強リブ４１ａ及び４１ｂが、冷蔵室扉１１ａの側壁７１と当接していることで、この回転モーメントを冷蔵室扉１１ａの側壁７１の頭頂部の面で分散して受けることができる。そのため、冷蔵室扉１１ａの側壁７１や収納容器１０の局所に応力が集中して、冷蔵室扉１１ａ及び収納容器１０が、変形したり破損したりすることを抑えることができる。
【００４９】
なお、図４に示すように、小物収納スペース４５は、左右両側のフック４６と連結するように形成された突出部４５ａによって形成されている。このような突出部４５ａを備えることで、収納容器１０の強度を向上させることができる。
【００５０】
＜収納容器を取り付けた冷蔵室扉の構成＞
続いて、収納容器１０を取り付けた状態の冷蔵室扉１１ａの構成と、冷蔵室扉１１ａの開閉動作について、図８から図１０を参照しながら説明する。図８は、冷蔵室扉１１ａの内側の状態を示す。図８では、冷蔵室扉１１ａの開放端部側を手前に示す。図９および図１０には、冷蔵室扉１１ａが閉状態から開状態となるまでの動きを、（ａ）から（ｃ）に順に示す。
【００５１】
図８に示すように、冷蔵室扉１１ａの内側（裏面）には、上段から順に、収納容器１０ａ、収納容器１０ｂ、大型の収納容器２０が取り付けられている。収納容器１０ａ及び１０ｂは、上述の収納容器１０と同一の構成である。
【００５２】
冷蔵室扉１１ａの裏面の左右両側の端部近傍には、裏面から突出した側壁７１が、端部に沿うようにして配置されている。各収納容器１０ａ・１０ｂ・２０は、左右両側の側壁７１・７１同士の間に嵌め込まれている。そして、収納容器１０ａ及び１０ｂの左側面部３３及び右側面部３４に形成された補強リブ４１ａ及び４１ｂは、冷蔵室扉１１ａの各側壁７１の頭頂部に当接している。
【００５３】
図８に示すように、冷蔵室扉１１ａの下段に取り付けられた収納容器２０には、大型のペットボトルＤ、紙パックＥなどの比較的背の高い収容物が配置される。収納容器２０については、従来の冷蔵庫扉に取り付けられた収納容器と同様の構成を有している。
【００５４】
冷蔵室扉１１ａの上段及び中段に取り付けられた収納容器１０ａ及び１０ｂには、中小型のペットボトル、中小型のビン、円筒形状の容器、チューブ状の容器などが配置される。上述したように、収納容器１０は、前後方向に３列の収納空間を有している。そして、各収納空間２１・２２・２３の深さは、それぞれ異なっている。そのため、冷蔵室扉１１ａに取り付けた際に、各収納空間２１・２２・２３の深さ及び幅に合った収容物Ａ・Ｂ・Ｃを、それぞれの収納空間２１・２２・２３に配置することが好ましい。
【００５５】
例えば、最も深い中央列の収納空間２２には、比較的背の高い中型のビン、円筒容器などの収容物Ｂを配置するのがよい。また、中間の深さを有する最後列の収納空間２３には、中型の収容物Ｃを配置するのがよい。
【００５６】
また、最も浅い最前列の収納空間２１には、比較的背の低い小型の円筒容器などの収容物Ａを配置するのがよい。なお、収納空間２１には、底面部３７の一部には凸部４２が形成されている。収納空間２１において、凸部４２が形成されている部分は、他の部分よりも深さが大きくなっている。そこで、この凸部４２が形成されている部分には、チューブ状容器などの細長い形状の収容物を配置するのがよい。
【００５７】
図２および図８に示すように、収納容器１０は、冷蔵室扉１１ａに取り付けた状態で、各収納空間２１・２２・２３が、水平面に対して傾斜するような構成となっている。これにより、各収納空間が水平面に垂直となっている従来の収納容器と比較して、より高さのある収容物を、冷蔵室扉１１ａの収納容器に配置することができる。また、各収納空間２１・２２・２３が、水平面に対して傾斜するような構成となっていることで、冷蔵室扉１１ａの内側の空間を有効利用することができる。
【００５８】
さらに、収納容器１０は、最前列の収納空間２１が最も浅くなっていることで、図８に示すように、第１の仕切り壁３５の前面側に空間ができる。これにより、上段から順に、収納容器１０ａ、収納容器１０ｂ、及び収納容器２０と並べて取り付けた状態で、収納容器１０ａと収納容器１０ｂとの間、並びに、収納容器１０ｂと収納容器２０との間に形成される空間を拡張させることができる。
【００５９】
上記の構成により、収納容器１０の最後列の収納空間２３や、収納容器２０の後列の収納空間に、より高い収容物を収納することができる。また、図２に示すように、第１の仕切り壁３５の前面側に空間があり、かつ、収納空間２３が水平面に対して傾斜していることで、後列側に位置する収容物の取り出しを容易に行うことができる。
【００６０】
なお、中段に配置される収納容器１０ｂと、下段に配置される収納容器２０とは、次のような位置関係を有していることがより好ましい。すなわち、収納容器２０の後列側の収納空間の底面の中央位置からの法線Ｌが、収納容器２０の第１の仕切り壁３５と交差する点の高さＨが、中段の収納容器１０ｂの収納空間２１の最下点Ｐ１の高さよりも低いことが好ましい（図２参照）。これにより、収納容器２０からの収納物の取り出し性をより良くすることができる。さらに、下段の収納容器２０の後列の収納容積（特に、高さ）を拡張させることができる。
【００６１】
また、本実施形態にかかる収納容器１０は、観音開き式の冷蔵室扉の左側の扉に取り付けられる。そのため、収納容器１０は、左側の冷蔵室扉の開放端部側に位置する側面（すなわち、左側面部３３）の形状が曲面状となっている。
【００６２】
より具体的には、収納容器１０の左側面部３３の表面（外周面）は、開閉動作を行う冷蔵室扉１１ａの回転中心Ｘから所定半径Ｒを有する円弧（図９において一点鎖線で示す）に沿って湾曲した形状となっている（図９参照）。これにより、冷蔵室扉１１ａの開閉動作時に、左側面部３３は、冷蔵庫１の他の部位と接触することを回避できる。なお、半径Ｒの長さは、例えば、冷蔵室扉１１ａの回転中心Ｘから冷蔵室扉１１ａの開放端部までの距離よりも、数センチ程度小さい長さとすることができる。
【００６３】
図１０には、収納容器１０に収容物Ａ・Ｂ・Ｃを収容した状態での冷蔵室扉１１ａの動きを示す。収納容器１０が上記のような構成を有していることで、収納容器１０の各収納空間に収容されている各収容物Ａ・Ｂ・Ｃも、冷蔵室扉１１ａの開閉動作中、回転中心Ｘから所定半径Ｒ内に略収まるように、冷蔵室扉１１ａの開閉動作を行うことができる。
【００６４】
なお、収納容器１０の最前列の収納空間２１の左側面部３３側に位置する収容物は、その高さによっては、冷蔵室扉１１ａの開閉動作時に、他方の冷蔵室扉１１ｂの開放端部などに接触する可能性がある。
【００６５】
そこで、本実施形態にかかる収納容器１０では、第１の仕切り壁３５の左側の端部と、左側面部３３との間に、スペースＳ１が設けられている。これにより、冷蔵室扉１１ａの開閉動作時に、万一、収納空間２１の左側面部３３側に位置する収容物が冷蔵室扉１１ｂの開放端部などに接触した場合に、収容物をスペースＳ１の方へ移動させることができる。これにより、接触時の衝撃を和らげ、収容物及び冷蔵庫１内の部品の破損を抑えることができる。
【００６６】
また同様に、収納容器１０の中央列の収納空間２２の左側面部３３側に位置する収容物は、その高さによっては、冷蔵室扉１１ａの開閉動作時に、他方の冷蔵室扉１１ｂの開放端部などに接触する可能性がある。
【００６７】
そこで、本実施形態にかかる収納容器１０では、第２の仕切り壁３６の端部４４が、後方（すなわち、収納空間２３側）に折れ曲がっている。これにより、冷蔵室扉１１ａの開閉動作時に、万一、収納空間２２の左側面部３３側に位置する収容物が冷蔵室扉１１ｂの開放端部などに接触した場合に、収容物を端部４４の形状に沿って後方側へ移動させることができる。これにより、接触時の衝撃を和らげ、収容物及び冷蔵庫１内の部品の破損を抑えることができる。
【００６８】
以上のように、本実施形態にかかる収納容器１０は、左側の冷蔵室扉１１ａの開放端部側に位置する側面（すなわち、左側面部３３）の形状が所定半径Ｒを有する円弧状となっている。しかし、本発明にかかる収納容器は、この構成に限定されない。本発明の収納容器では、冷蔵庫の扉に取り付けた時に、扉の開放端部側に位置する収納容器の側面部が、扉の開閉動作時に、冷蔵庫の他の部位と接触しないような曲面状に形成されていればよい。
【００６９】
例えば、本発明を右側の冷蔵室扉１１ｂに取り付ける収納容器に適用する場合には、本実施形態の収納容器１０の左右の構成を入れ換えることが好ましい。また、冷蔵庫の扉が、左右両開き式である場合には、収納容器の左右両側の側面部が曲面状に形成されていてもよい。
【００７０】
上記の構成を有する収納容器によれば、冷蔵庫の扉の内側に、より広い収納空間を確保することができる。そのため、冷蔵庫内の収納スペースをより有効に活用することができる。
【００７１】
なお、冷蔵庫に取り付けられる従来の収納容器においては、冷蔵庫の扉の内側に取り付けて使用する際に、前方から後方へ向かって収納空間を複数列設けると、後列側の収納空間に収納された物が取り出しにくいという問題があった。つまり、冷蔵庫に取り付けて使用する収納容器において、前方から後方へ向かって収納空間を複数列設けると、ユーザにとって使いづらい面があった。
【００７２】
これに対して、本実施形態にかかる収納容器では、列状に並んで配置された３個の収納空間のうち、中央列に位置する収納空間の深さが最も深くなっている。そのため、最前列の収納空間の底面の位置が、中央列に位置する収納空間の底面の位置よりも高くすることができる。これにより、収納容器の前面側の底部に空間が形成され、収納容器を上下に配置した際に、下方に位置する収納容器への収容物の出し入れがし易くなる。したがって、本実施形態によれば、収納容器の使用時の利便性をより高めることができる。
【００７３】
また、本実施形態にかかる収納容器１０は、上述したように、列状に並んで配置された３個の収納空間２１・２２・２３を有している。そして、３個の収納空間２１・２２・２３のうち、中央列に位置する収納空間２２の深さが最も深くなっている。すなわち、図７に示すように、収納空間２２の底面部３８が、最も下方に突き出た形状となっている。
【００７４】
これにより、第２の実施形態で後述するように、収納容器１０を平面上にも安定して載置することができる。またこのとき、各収納空間２１・２２・２３が、載置面に対して傾斜した形状となる。そのため、各収容物の出し入れを容易に行うことができる。さらに、収納空間２１及び収納空間２３の何れの側を下側にした場合にも、安定した状態で、収納容器１０を載置することができる。
【００７５】
＜収納容器の変形例＞
ここで、収納容器１０の変形例について説明する。図１１には、第１の変形例にかかる収納容器１１０を示す。図１２には、第２の変形例にかかる収納容器２１０を示す。図１３には、第３の変形例にかかる収納容器３１０を示す。
【００７６】
図１１に示す収納容器１１０には、最前列の収納空間２１内の前面部３１に２つの突起部１１１・１１１が形成されている。それ以外の構成については、収納容器１０と同じである。突起部１１１が設けられていることにより、冷蔵室扉１１ａの開閉動作時に、収納空間２１内に配置される収容物が横に転がることを抑えることができる。
【００７７】
収納容器１１０では、最前列の収納空間２１内に突起部１１１が設けられているが、他の収納空間２２・２３にも、同様の突起部を設けてもよい。また、収納容器１１０では、収納空間２１内の前方側の内壁に突起部１１１を設けている。
【００７８】
図１２は、第２の変形例にかかる収納容器２１０の断面図である。図１２では、収納容器２１０を、地面に対して略垂直な壁Ｗ（例えば、冷蔵室扉１１ａ）に取り付けた状態を示す。
【００７９】
収納容器２１０は、中央列の収納空間２２２の底部の形状が収納容器１０とは異なっている。それ以外の構成については、収納容器１０と同じである。図１２に示すように、収納空間２２２の底部は、第１の底面部２３８ａと第２の底面部２３８ｂとで形成されている。
【００８０】
第１の底面部２３８ａと第２の底面部２３８ｂとは、約９０度の角度をなして接続されている。そして、例えば、冷蔵室扉１１ａの裏面などのような壁面に収納容器２１０を取り付けた場合、第２の底面部２３８ｂは、壁Ｗと接触するように配置される。これにより、第１の底面部２３８ａは、略水平（すなわち、壁Ｗに対して略垂直）な位置に固定される。
【００８１】
収納容器２１０のような構成を有することで、中央列の収納空間２２２に、より高さのある収容物を安定した状態で収容することができる。また、収納容器２１０によれば、冷蔵室扉１１ａの裏面の空間をより有効に利用することができる。
【００８２】
図１３は、第３の変形例にかかる収納容器３１０の断面図である。図１３では、収納容器３１０を、地面に対して略垂直な壁Ｗ（例えば、冷蔵室扉１１ａ）に取り付けた状態を示す。
【００８３】
収納容器３１０は、中央列の収納空間３２２の底部の形状が収納容器１０とは異なっている。それ以外の構成については、収納容器１０と同じである。図１３に示すように、収納空間３２２の底部は、底面部３３８で形成されている。例えば、冷蔵室扉１１ａの裏面などのような壁面に収納容器３１０を取り付けた場合、底面部３３８は、壁Ｗと接触するように配置される。そして、第１の仕切り壁３３５と底面部３３８とは、鋭角をなして接続されている。
【００８４】
収納容器３１０のような構成を有することで、中央列の収納空間３２２に、より高さのある収容物を安定した状態で収容することができる。このような収納空間３２２は、特に、先細の形状を有し、かつより高さのある収容物を収容するのに適している。また、収納容器３１０によれば、冷蔵室扉１１ａの裏面の空間をより有効に利用することができる。
【００８５】
＜第２の実施形態＞
続いて、本発明の第２の実施形態について説明する。第１の実施形態では、収納容器１０を冷蔵室扉１１ａに取り付けて使用する例について説明した。しかし、本発明の収納容器は、このような用途のみに限定はされない。そこで、本実施形態では、収納容器を、冷蔵室内の仕切棚３ａ・３ｂ・３ｃ・３ｄ（図２参照）のような平面上に収納容器を載置する例について説明する。
【００８６】
図１４には、本実施形態にかかる収納容器１０を平面（載置面）Ｐに載置した状態を示す。なお、収納容器１０の構成自体は、第１の実施形態の収納容器１０と同じ構成が適用できる。
【００８７】
図１４では、収納空間２１を下側にした状態で収納容器１０を平面Ｐ上に載置している。この載置状態では、２つのポイントＰ１とＰ２が、平面Ｐ上に接触している。ここで、平面Ｐとの接触位置Ｐ１と、平面Ｐとの接触位置Ｐ２との間の領域を、平面Ｐとの第１の接触領域Ａと呼ぶ。
【００８８】
本実施形態では、収納空間２１を下側にして収納容器１０を載置したとき（図１４参照）に、平面Ｐとの第１の接触領域Ａ（第２の載置面）内の鉛直上方に、収納容器１０の重心が位置するように、収納容器１０が成形されている。具体的には、収納空間２１を下側にして収納容器１０を載置したとき（図１４参照）に、平面Ｐとの第１の接触領域Ａ内に、収納容器１０の底面部３９の端部Ｐ３が位置する。
【００８９】
次に、図１５には、収納空間２３を下側にした状態で収納容器１０を平面Ｐ上に載置した状態を示す。この載置状態では、２つのポイントＰ４とＰ５が、平面Ｐ上に接触している。ここで、平面Ｐとの接触位置Ｐ４と、平面Ｐとの接触位置Ｐ５との間の領域を、平面Ｐとの第２の接触領域Ｂと呼ぶ。
【００９０】
本実施形態では、収納空間２３を下側にして収納容器１０を載置したとき（図１５参照）にも、平面Ｐとの第２の接触領域Ｂ（第１の載置面）内の鉛直上方に、収納容器１０の重心が位置するように、収納容器１０が成形されている。具体的には、収納空間２３を下側にして収納容器１０を載置したとき（図１４参照）に、平面Ｐとの第２の接触領域Ｂ内に、収納容器１０の底面部３７の端部Ｐ６が位置する。
【００９１】
以上のように、平面Ｐとの第１の接触領域Ａ内に、収納容器１０の重心が位置するように、収納容器１０が成形されていることで、図１６に示すように、各収納空間２１・２２・２３に収容物Ａ・Ｂ・Ｃを入れた状態で、収納容器１０を安定した状態で維持できる。なお、収納容器１０を冷蔵室扉１１ａに取り付けて使用する場合には、上記の第１の載置面が冷蔵室扉１１ａの内側壁面に当接するように収納容器１０を取り付ける。
【００９２】
また、平面Ｐとの第２の接触領域Ｂ内に、収納容器１０の重心が位置するように、収納容器１０が成形されていることで、図１７に示すように、各収納空間２１・２２・２３に収容物Ａ・Ｂ・Ｃを入れた状態で、収納容器１０を安定した状態で維持できる。
【００９３】
また、本実施形態では、図１４に示すように、収納容器１０の各収納空間２１・２２・２３は、収納方向が載置面Ｐに対して傾斜している。これにより、収納容器１０を平面上に載置した状態で、各収納空間２１・２２・２３への収容物の出し入れを容易に行うことができる。
【００９４】
以上のように、本実施形態にかかる収納容器１０は、収納空間２１を下側にして載置した場合にも、収納空間２３を下側にして載置した場合にも、安定した状態で平面上に載置できる。
【００９５】
また、第２の実施形態のように収納容器１０を平面上に載置して使用した場合にも、上記のような構成を有する収納容器１０を用いることで、種々の大きさの収容物を適切な収納空間に収容することができる。また、上記のような構成を有する収納容器によれば、複数列並んだ収納空間を有する収納容器において、載置方向を反転させることができる。このような収納容器は、例えば、冷蔵室内の棚の上、冷蔵庫外の食卓の上、調理用のキッチンカウンターの上などのような様々な場所に載置することができる。すなわち、本実施形態にかかる収納容器１０は、様々な載置場所に適応できる汎用性を有する。
【００９６】
なお、収納容器１０を平面上に載置するという用途のみに使用する場合には、補強リブ（補強部材）４１ａ・４１ｂ、フック４６などは、必ずしも設けなくてもよい。
【００９７】
但し、収納容器１０を平面上に載置する場合にも、補強リブ４１ａ・４１ｂを設けてもよい。このとき、補強リブ４１ａ・４１ｂは、収納容器１０の両側面（すなわち、左側面部３３および右側面部３４）に、上下方向に延在する突起面を有する。このような補強リブ４１ａ・４１ｂが設けられていることで、収納容器１０を平面上に載置した場合に、収納容器１０の転動を抑制することができる。なお、補強リブ４１ａ・４１ｂは、収納容器の第１の載置面（図１５の第２の接触領域Ｂ）寄りに設けられていることが好ましい。
【００９８】
なお、本実施形態にかかる収納容器１０では、各収納空間２１・２２・２３の深さＬ１・Ｌ２・Ｌ３は、それぞれ異なっている。具体的には、収納容器１０においては、中央列の収納空間２２の深さＬ２が最も大きくなっている（図７参照）。
【００９９】
また、本実施形態にかかる収納容器１０では、図４に示すように、収納容器１０の各収納空間２１・２２・２３の外枠の幅を、それぞれＷａ・Ｗｂ・Ｗｃとすると、各幅の大小関係は以下のようになっている。
Ｗａ＜Ｗｂ＜Ｗｃ
【０１００】
以上のように、収納容器１０の３列の収納空間２１・２２・２３のうち、中央列の収納空間２２深さが最も深いので、載置面に対して収納空間を傾斜した状態で使用することができる（図１４および図１５参照）。そして、前列から後列に向けて段々と外枠の幅が大きくなっている（すなわち、Ｗａ＜Ｗｂ＜Ｗｃ）ので、使用者の使い勝手に合わせて、載置方向を変更することができる。また、使用者の使い勝手に合わせて、種々のサイズの収容物を各収容空間２１・２２・２３のうちの最適な収容空間に収容できる。
【０１０１】
例えば、小さなサイズの収容物を手前に置きたい場合は前列側を下（第２の載置面を下）に配置し、より多くの収容物を手前に置きたい場合は後列側を下（第１の載置面を下）載置するなどすることができる。また、第１の載置面を下にして置いた際には、より幅の広い（すなわち、幅Ｗｃを有する）収納空間２３が載置面となるので安定性や、外観上の安定感が向上する。
【０１０２】
また、各収納空間２１・２２・２３の前後方向の幅（奥行き）Ｗ１・Ｗ２・Ｗ３（図７参照）については、例えば、収納空間２１の奥行きＷ１をその他の収納空間の奥行きＷ２・Ｗ３よりも小さくすることが好ましい。これにより、前列の収納空間２１は小さいサイズ用、後列の収納空間２３は大容量の収容物用と、より明確に規定することができる。
【０１０３】
さらに、本実施形態の収納容器１０では、収納空間２１を下側にした状態で収納容器１０を平面Ｐ上に載置した場合（図１４参照）と、収納空間２３を下側にした状態で収納容器１０を平面Ｐ上に載置した場合（図１５参照）とで、収納空間の収納方向の傾斜角度を異ならせることが好ましい。
【０１０４】
例えば、図１４および図１５に示すように、収納空間２１を下側にした状態で収納容器１０を平面Ｐ上に載置した場合の傾斜角度に比べて、収納空間２３を下側にした状態で収納容器１０を平面Ｐ上に載置した場合の傾斜角度が大きくすることができる。すなわち、第１の載置面を載置面としたときの収納空間の収納方向の傾斜角度（図１５参照）は、前記第２の載置面を載置面としたときの前記収納空間の収納方向の傾斜角度（図１４参照）よりも大きくすることができる。これは、収納空間２３の幅Ｗｃの方が、収納空間２１の幅Ｗａよりも大きく、傾斜角度をより大きくしても、平面載置時の安定性を維持できるためである。図１５に示すように、傾斜角度をより大きくすることで、収納空間２３に重量物が収容された場合であっても、重心が前方に移動しにくくなり、収納容器を倒れにくくすることができる。
【０１０５】
これに対して、図１４に示す載置状態は、図１５に示す載置状態ほど安定性は高くないが、傾斜角度を小さくしているため、転動しにくいという効果を有する。また、図１４に示す載置状態では、重量物は上方の収納空間２１に収容される可能性が高い。重量物を上方の収納空間に収容する場合、傾斜角度が大きいと収納容器が後ろに倒れるおそれがある。そこで、図１４に示す載置状態では、傾斜角度がより小さいことが好ましい。これにより、図１４に示し載置状態での安定性を維持することができる。
【０１０６】
したがって、収納空間の大きさと傾斜角度を上記の組み合わせとすることで、どちらの載置面で載置しても収容物を安定して収納することができる。
【０１０７】
＜収納容器の変形例＞
ここで、収納容器１０の変形例について説明する。図１８は、第４の変形例にかかる収納容器４１０の断面図である。図１８では、収納容器４１０を、図１７に示す収納容器１０と同様の方法で載置した状態を示す。
【０１０８】
収納容器４１０は、最後列の収納空間４２３（下側に位置する収納空間４２３）の形状が収納容器１０とは異なっている。それ以外の構成については、収納容器１０と同じである。図１７に示すように、収納容器４１０では、背面部４３２からより背面側に突出した突出部４４３が形成されている。
【０１０９】
そして、収納容器４１０では、２つのポイントＰ４とＰ５’が、平面Ｐ上に接触している。図１７と図１８とを比較すれば分かるように、収納容器４１０の方が、第２の接触領域Ｂがより大きくなっている。
【０１１０】
そのため、収納容器４１０は、収納空間４２３を下側にして載置した場合に、載置状態をより安定させることができる。また、収納容器４１０のような構成を有することで、より幅の大きな収容物Ｄを、収納空間４２３に収容することができる。
【０１１１】
＜第３の実施形態＞
上述の第１及び第２の実施形態では、本発明の収納容器を冷蔵庫内で使用する場合の例について説明した。しかし、本発明にかかる収納容器の用途は、冷蔵庫内の使用に限定されない。そこで、第３の実施形態では、冷蔵庫以外の場所で収納容器を使用する例について説明する。
【０１１２】
第３の実施形態にかかる収納容器１０の構成は、上述した第１の実施形態及び第２の実施形態で説明した収納容器の構成を同様に適用することができる。また、収納容器１０の載置方法は、第２の実施形態において説明した平面上に収納容器を載置する方法を適用することができる。収納容器１０の載置場所としては、例えば、キッチンの調理用カウンター、食卓、デスクなどの上が挙げられる。また、載置場所、用途などに応じて、最前列の収納空間２１及び最後列の収納空間２３の何れを下方にするかを適宜決めることができる。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１１４】
１        ：冷蔵庫
１０      ：収納容器
１１      ：冷蔵室
１１ａ    ：冷蔵室扉
２１      ：（最前列の）収納空間
２２      ：（中央列の）収納空間
２３      ：（最後列の）収納空間
３３      ：左側面部（側面部）
３４      ：右側面部
３５      ：第１の仕切り壁
３６      ：第２の仕切り壁
３６ａ    ：段差部
４１ａ    ：補強リブ（補強部材）
４１ｂ    ：補強リブ（補強部材）
４４      ：（第２の仕切り壁の）端部
４５ａ    ：突出部
４６      ：フック（係合部）
７１      ：側壁
スペース  ：Ｓ１
【図１】
0006754606.tif 000002
【図２】
0006754606.tif 000003
【図３】
0006754606.tif 000004
【図４】
0006754606.tif 000005
【図５】
0006754606.tif 000006
【図６】
0006754606.tif 000007
【図７】
0006754606.tif 000008
【図８】
0006754606.tif 000009
【図９】
0006754606.tif 000010
【図１０】
0006754606.tif 000011
【図１１】
0006754606.tif 000012
【図１２】
0006754606.tif 000013
【図１３】
0006754606.tif 000014
【図１４】
0006754606.tif 000015
【図１５】
0006754606.tif 000016
【図１６】
0006754606.tif 000017
【図１７】
0006754606.tif 000018
【図１８】
0006754606.tif 000019